(57)【要約】【課題】  画像形成装置の部品交換をするにあたり、調整項目の漏れが無く、部品の交換による一連の作業を自動的に行うことが可能な画像形成装置を提供する。【解決手段】  画像形成装置の電源投入時に、記憶手段に記憶された交換部品情報に基づき、調整項目管理手段から交換部品に対応した調整項目を選択して（Ｓ２５）、調整手段による調整を実施する（Ｓ２６）。【選択図】        図１９
2005335164.tif 000002
【特許請求の範囲】
【請求項１】
画像形成装置の電源をオフするときの情報を登録する登録手段と、
前記登録手段で登録された情報を記憶する情報記憶手段と、
前記情報記憶手段に記憶された情報に対応した初期化処理を管理する初期化処理管理手段と、
電源投入時に、前記情報記憶手段に記憶された情報に基づき、前記初期化処理管理手段によって管理される初期化処理を実施する初期化処理実施手段と、
を備えたことを特徴とする画像形成装置。
【請求項２】
画像形成装置を構成する各部品の調整を行う調整手段と、
部品交換を行う際に、交換する部品の情報を入力する入力手段と、
前記入力手段から入力された交換部品情報を記憶する記憶手段と、
交換部品に対応した調整項目を管理する調整項目管理手段と、
電源投入時に、前記記憶手段に記憶された交換部品情報に基づき、前記調整項目管理手段から交換部品に対応した調整項目を選択して、前記調整手段による調整を実施するように制御する制御手段と、
を備えたことを特徴とする画像形成装置。
【請求項３】
請求項２に記載の画像形成装置において、
前記制御手段は、前記記憶手段に記憶された交換部品情報に基づき、交換作業を実施したか否かを確認し、交換作業を実施したときのみ交換部品に対応した調整を実施することを特徴とする画像形成装置。
【請求項４】
請求項２または３に記載の画像形成装置において、
ホストコンピュータと通信する通信手段を備え、
前記通信手段により前記記憶手段に記憶された交換部品情報をホストコンピュータに通知することを特徴とする画像形成装置。
【請求項５】
請求項２ないし４のいずれかに記載の画像形成装置において、
交換部品は、センサ、モータ、クラッチ、ソレノイド等のシートを搬送するために用いる負荷であることを特徴とする画像形成装置。
【請求項６】
請求項４に記載の画像形成装置と、ホストコンピュータを備える画像形成システムにおいて、
前記ホストコンピュータは、前記画像形成装置の電源オフを検知した場合で前記画像形成装置から交換部品情報を受信しているときに、部品交換作業中の表示をすることを特徴とする画像形成システム。
【発明の詳細な説明】
【技術分野】
【０００１】
本発明は、デジタル複写機やカラープリンタ等の画像形成装置に関し、特に、使用環境や消耗度等の様々な条件によらず、常に安定して動作するための調整に関するものである。
【背景技術】
【０００２】
従来の画像形成装置においては、使用環境や消耗度等の様々な条件が変わっても、常に安定して動作するために調整を行っている。例えば、電源投入時に、ワイヤ清掃や使用環境に応じた高圧条件の設定、電位制御等を行っている。また、プリント開始／終了時や、プリント中などの一定間隔で、画像を一定に保つための色ずれ補正や、濃度調整を自動で行っている。さらに、ユーザの任意のタイミングや消耗部品の交換時においては、手動操作によって、調整を実施することが可能となっている（例えば、特許文献１参照。）。
【特許文献１】特開２００３−３１６２１７号公報
【発明の開示】
【発明が解決しようとする課題】
【０００３】
しかしながら、画像形成装置の機能の多様化や、より高精度な動作が求められることによって、調整の種類が増え、動作も複雑になってきている。特に、消耗部品の交換時においては、交換した部品に対して実施すべき調整項目を手動操作によって選択するのは、困難になっている。
【０００４】
本発明は、このような状況のもとでなされたもので、画像形成装置の部品交換をするにあたり、交換する部品を指定するだけで、交換作業終了時に必要な調整項目を全て自動で実施することで、容易に、かつ、調整項目の漏れが無く、部品の交換による一連の作業を行うことが可能な画像形成装置，画像形成システムを提供することを課題とするものである。
【課題を解決するための手段】
【０００５】
前記課題を解決するため、本発明では、画像形成装置を次の（１）ないし（５）のとおりに構成し、画像形成システムを次の（６）のとおりに構成する。
【０００６】
（１）画像形成装置の電源をオフするときの情報を登録する登録手段と、
前記登録手段で登録された情報を記憶する情報記憶手段と、
前記情報記憶手段に記憶された情報に対応した初期化処理を管理する初期化処理管理手段と、
電源投入時に、前記情報記憶手段に記憶された情報に基づき、前記初期化処理管理手段によって管理される初期化処理を実施する初期化処理実施手段と、
を備えた画像形成装置。
【０００７】
（２）画像形成装置を構成する各部品の調整を行う調整手段と、
部品交換を行う際に、交換する部品の情報を入力する入力手段と、
前記入力手段から入力された交換部品情報を記憶する記憶手段と、
交換部品に対応した調整項目を管理する調整項目管理手段と、
電源投入時に、前記記憶手段に記憶された交換部品情報に基づき、前記調整項目管理手段から交換部品に対応した調整項目を選択して、前記調整手段による調整を実施するように制御する制御手段と、
を備えた画像形成装置。
【０００８】
（３）前記（２）に記載の画像形成装置において、
前記制御手段は、前記記憶手段に記憶された交換部品情報に基づき、交換作業を実施したか否かを確認し、交換作業を実施したときのみ交換部品に対応した調整を実施する画像形成装置。
【０００９】
（４）前記（２）または（３）に記載の画像形成装置において、
ホストコンピュータと通信する通信手段を備え、
前記通信手段により前記記憶手段に記憶された交換部品情報をホストコンピュータに通知する画像形成装置。
【００１０】
（５）前記（２）ないし（４）のいずれかに記載の画像形成装置において、
交換部品は、センサ、モータ、クラッチ、ソレノイド等のシートを搬送するために用いる負荷である画像形成装置。
【００１１】
（６）前記（４）に記載の画像形成装置と、ホストコンピュータを備える画像形成システムにおいて、
前記ホストコンピュータは、前記画像形成装置の電源オフを検知した場合で前記画像形成装置から交換部品情報を受信しているときに、部品交換作業中の表示をする画像形成システム。
【発明の効果】
【００１２】
本発明によれば、画像形成装置の部品交換をするにあたり、交換する部品を指定するだけで、交換作業終了時に必要な調整項目を全て自動で実施することで、容易に、かつ、調整項目の漏れが無く、部品の交換による一連の作業を行うことが可能となる。
【発明を実施するための最良の形態】
【００１３】
以下本発明を実施するための最良の形態を、実施例により詳しく説明する。
【実施例１】
【００１４】
図１は、実施例１である“デジタル複写機（ＤＣ１）”の概略構成を示すブロック図である。
【００１５】
デジタル複写機ＤＣ１において、リーダ部１は、原稿の画像を読み取り、原稿画像に応じた画像データを画像メモリ部３へ出力する。プリンタ部２は、画像メモリ部３からの画像データに応じた画像を記録紙上に記録する。画像メモリ部３は、リーダ部１から転送された画像データを圧縮し、圧縮された圧縮画像データを記憶し、また、記憶している圧縮画像データを伸長し、伸長された画像データをプリンタ部２へ転送し、さらに、記憶している画像データを外部Ｉ／Ｆ処理部４に転送し、外部Ｉ／Ｆ処理部４から転送された画像データを記憶する。
【００１６】
外部Ｉ／Ｆ処理部４は、画像メモリ部３から転送された画像データに所定の処理を施した後に、所要の外部装置に出力し、前記外部装置から送られてきた画像データに所定の処理を施し、画像メモリ部３に転送する。また、自動原稿送り装置６は、リーダ部１に接続され、載置された原稿を所定位置に給送する。
【００１７】
図２は、デジタル複写機ＤＣ１の構成を示す縦断側面図である。
図２中、デジタル複写機ＤＣ１は、デジタル複写機本体２００と、自動原稿送り装置（ＤＦ）６と、原稿載置台としてのプラテンガラス２０１と、スキャナ２０２とを有し、スキャナ２０２は、原稿照明ランプ２０３や走査ミラー２０４等で構成されている。
【００１８】
図示しないモータによって、スキャナが所定方向に往復走査され、走査ミラー２０４〜２０６を介して、原稿の反射光がレンズ２０７を透過し、イメージセンサ部２０８内のＣＣＤセンサに結像する。
【００１９】
レーザやポリゴンスキャナ等で構成されている露光制御部２０９は、イメージセンサ部２０８で電気信号に変換され、後述する所定の画像処理が行われた画像信号に基づいて変調されたレーザ光２１９を、感光体ドラム２１１に照射する。感光体ドラム２１１の周囲には、１次帯電器２１２と、現像器２１３と、転写帯電器２１６と、分離帯電器２１７と、前露光ランプ２１４と、クリーニング装置２１５とが装備されている。
【００２０】
画像形成部２１０において、感光体ドラム２１１は、図示しないモータによって、図に示す矢印の方向に回転し、１次帯電器２１２によって所望の電位に帯電された後に、露光制御部２０９からのレーザ光２１９が照射され、静電潜像が形成される。
【００２１】
感光体ドラム２１１上に形成された静電潜像は、現像器２１３によって現像され、トナー像として可視化される。
【００２２】
一方、右カセットデッキ２２１、左カセットデッキ２２２、上段カセット２２３または下段カセット２２４から、ピックアップローラ２２５、２２６、２２７、２２８によって給紙された転写紙は、給紙ローラ２２９、２３０、２３１、２３２によって本体に送られ、レジストーラ２３３によって転写ベルト２３４に給紙され、可視化されたトナー像が、転写帯電器２１６によって転写紙に転写される。
【００２３】
転写後の感光体ドラム２１１は、クリーナー装置２１５によって残留トナーが清掃され、前露光ランプ２１４によって残留電荷が消去される。転写後の転写紙は、分離帯電器２１７によって感光体ドラム２１１から分離され、転写ベルト２３４によって定着器２３５に送られる。
【００２４】
定着器２３５では、加圧、加熱によって定着され、排出ローラ２３６によって本体２００の機外に排出される。本体２００には、たとえば４０００枚の転写紙を収納し得るデッキ２５０が装備されている。
【００２５】
デッキ２５０のリフタ２５１は、ピックアップローラ２５２に転写紙が常に当接するように、転写紙の量に応じて上昇し、給紙ローラ２５３によって転写紙が本体２００に送られる。また、１００枚の転写紙を収容し得るマルチ手差し２５４が装備されている。
【００２６】
さらに、図２において、排紙フラッパ２３７は、搬送パス２３８側と排出パス２４３側との経路を切り替える。下搬送パス２４０は、反転パス２３９を介して、排紙ローラ２３６から送り出された転写紙を、裏返して再給紙パス２４１に導く。
【００２７】
左カセットデッキ２２２から給紙ローラ２３０によって給紙された転写紙も、再給紙パス２４１に導かれる。再給紙ローラ２４２は、転写紙を画像形成部２１０に再給紙する。排出ローラ２４４は、排紙フラッパ２３７の近傍に配置され、この排紙フラッパ２３７によって排出パス２４３側に切り替えられた転写紙を機外に排出する。
【００２８】
両面記録（両面複写）時には、排紙フラッパ２３７を上方に上げ、搬送パス２３８、反転パス２３９、下搬送パス２４０を介して、複写済みの転写紙を、再給紙パス２４１に導く。このときに、反転ローラ２４５によって転写紙の後端が、搬送パス２３８から全て抜け出し、しかも、反転ローラ２４５に転写紙が噛んだ状態の位置まで、反転パス２３９に引き込み、反転ローラ２４５を逆転させることによって、搬送パス２４０に送り出す。本体２００から転写紙を反転して排出するには、排紙フラッパ２３７を上方へ上げ、転写紙の後端が搬送パス２３８に残った状態の位置まで、反転ローラ２４５によって反転パス２３９に引き込み、反転ローラ２４５を逆転させることによって、転写紙を裏返し、排出ローラ２４４側に送り出す。
【００２９】
排紙処理装置２９０は、デジタル複写機本体２００から排出した転写紙を揃えて閉じ、１枚毎に排出される転写紙を、処理トレイ２９４で積載して揃える。一部の画像形成の排出が終了したら、転写紙束をステイプルし、排紙トレイ２９２、または、排紙トレイ２９３に束で排出する。排紙トレイ２９２、２９３は、図示しないモータによって上下に移動制御され、画像形成動作開始前に、処理トレイの位置になるように移動する。
【００３０】
用紙トレイ２９１は、排出された転写紙の間に挿入する区切り紙を積載する用紙トレイであり、Ｚ折り機２９５は、排出された転写紙をＺ折りにするＺ折り機である。また、製本機２９６は、排出された転写紙一部をまとめ、センター折りにし、ステイプルを行うことによって製本を行い、製本された紙束は、排出トレイ２９７に排出される。
【００３１】
図３は、デジタル複写機ＤＣ１の制御系を示すブロック図である。
ＣＰＵ１７１は、デジタル複写機２００の基本制御を行うＣＰＵであり、制御プログラムが書き込まれたＲＯＭ１７４と、処理を行うためのワークＲＡＭ１７５と、入出力ポートＩ／Ｏ１７３とが、アドレスバス、データバスを介して接続されている。
【００３２】
入出力ポートＩ／Ｏ１７３には、デジタル複写機２００を制御するモータ、クラッチ等の各種負荷（図示せず）や、紙の位置を検知するセンサ等の入力（図示せず）が接続されている。ＣＰＵ１７１は、ＲＯＭ１７４の内容に従って、入出力ポート１７３を介して、順次入出力の制御を行い、画像形成動作を実行する。
【００３３】
また、ＣＰＵ１７１には、操作部１７２が接続され、操作部１７２の表示手段、キー入力手段を制御する。
【００３４】
操作者は、キー入力手段を介して、画像形成動作モードや、スキャナ読み取りモード、プリント出力モードの表示の切り替えを、ＣＰＵ１７１に指示し、ＣＰＵ１７１は、デジタル複写機２００の状態や、キー入力による動作モード設定の表示を行う。ＣＰＵ１７１には、イメージセンサ部２０８によって電気信号に変換された信号を処理する画像処理部１７０と、処理された画像を蓄積する画像メモリ部３とが接続されている。
【００３５】
次に、本実施例における画像処理部１７０の詳細構成について説明する。
【００３６】
図４は、画像処理部１７０の詳細構成を主に示すブロック図である。
【００３７】
レンズ２０７を介して、ＣＣＤセンサ２０８に結像された原稿画像は、Ｂｌａｃｋの輝度のデータとして入力され、ＣＣＤセンサ２０８によってアナログ電気信号に変換される。
【００３８】
変換された画像情報は、アナログ信号処理部（図示せず）に入力され、サンプル＆ホールド、ダークレベルの補正等が行われた後に、信号処理部としてのＡ／Ｄ変換部５０１でアナログ・デジタル変換（Ａ／Ｄ変換）し、デジタル化された信号を、シェーディング補正する（原稿を読み取るセンサのばらつきと、原稿照明用ランプの配光特性とを補正する）。その後に、ｌｏｇ変換部５０２に送られる。
【００３９】
ｌｏｇ変換部５０２では、入力された輝度データを濃度データに変換するためのＬＵＴ（ルックアップテーブル）が格納され、入力されたデータに対応するテーブル値を出力することによって、輝度データを濃度データに変換する。その後、変倍部５０３によって所望の倍率に画像を変倍し、γ補正部５０４に入力される。
【００４０】
γ補正部５０４では、濃度データを出力する際に、プリンタの特性を考慮したＬＵＴによる変換を行い、操作部１７２で設定された濃度値に応じた出力調整を行う。その後、２値化部５０５へ送られる。
【００４１】
２値化部５０５では、多値の濃度データが２値化され、濃度値が「０」または「２５５」になる。８ｂｉｔの画像データは、２値化され、「０」または「１」の１ｂｉｔの画像データに変換され、メモリに格納する画像データ量は小さくなる。しかし、画像を２値化すると、画像の階調数が、２５６階調から２階調になるので、写真画像のように中間調の多い画像データを２値化すると、一般的に画像の劣化が著しい。そこで、２値データによる擬似的な中間調表現とする必要がある。ここでは、２値のデータに擬似的に中間調表現を行う手法として、誤差拡散法を用いる。
【００４２】
この誤差拡散法は、所定の画像の濃度がある閾値よりも大きい場合は、「２５５」の濃度データであるとし、所定の閾値以下である場合は、「０」の濃度データであるとして２値化した後に、実際の濃度データと２値化されたデータとの差分を誤差信号とし、周りの画素に配分する手法である。
【００４３】
この場合に、前記誤差の配分には、予め用意されているマトリックス上の重み係数を、２値化によって生じる誤差に掛け合わせ、周りの画素に加算することによって配分する。
【００４４】
これによって、画像全体での濃度平均値が保存され、中間調を擬似的に２値で表現することができる。この２値化された画像データは、画像メモリ部３へ送られ、画像蓄積される。また、外部Ｉ／Ｆ処理部４から入力される、コンピュータからの画像データは、外部Ｉ／Ｆ処理部４で２値画像データとして処理されているので、そのまま画像メモリ部３に送られる。
【００４５】
画像メモリ部３は、高速のページメモリと複数のページ画像データを蓄積可能な大容量のメモリ（ハードディスク）とを有する。ハードディスクに格納された複数の画像データは、デジタル複写機ＤＣ１の操作部１７２で指定された編集モードに応じた順序で出力される。
【００４６】
たとえば、ソートの場合、自動原稿送り装置６から読み取った原稿束の画像を、順に出力する。ハードディスクに一旦格納された画像データを読み出し、これを複数回繰り返して出力する。これによって、ビンが複数設けられているソータと同じ役割を果たすことができる。画像メモリ部３から出力した画像データは、プリンタ部２に設けられているスムージング部５０６に送られる。スムージング部５０６では、２値化した画像の線端部が滑らかになるように、データを補間し、露光制御部２０９へ画像データを出力する。露光制御部２０９では前記処理によって、画像データを転写紙に形成する。
【００４７】
次に、本実施例における画像メモリ部３の詳細構成について説明する。
【００４８】
図５は、本実施例における画像メモリ部３の詳細構成を主に示すブロック図である。
【００４９】
画像メモリ部３では、メモリコントローラ３０２を介して、ＤＲＡＭ等のメモリで構成されているページメモリ３０１に、外部Ｉ／Ｆ処理部４、画像処理部１７０からの２値画像の書き込みと、外部Ｉ／Ｆ処理部４、プリンタ部２への画像読み出しと行い、また、大容量の記憶装置であるＨＤ（ハードディスク）３０４へ画像を入出力する。
【００５０】
メモリコントローラ３０２は、ページメモリ３０１のＤＲＡＭリフレッシュ信号を発生し、また、外部Ｉ／Ｆ処理部４、画像処理部１７０、ＨＤ（ハードディスク）３０４から、ページメモリ３０１へアクセスの調停を行う。
【００５１】
さらに、ＣＰＵ１７１の指示に従い、ページメモリ３０１への書き込みアドレス、ページメモリ３０１からの読み出しアドレス、読み出し方向等を制御する。これによって、ＣＰＵ１７１は、ページメモリ３０１に複数の原稿画像を並べてレイアウトし、プリンタ部２に出力する機能や、画像の一部分のみを切り出して出力する機能や、画像回転機能を制御する。
【００５２】
次に、本実施例における外部Ｉ／Ｆ処理部４の構成について説明する。
【００５３】
図６は、本実施例における外部Ｉ／Ｆ処理部４の構成を主に示すブロック図である。
【００５４】
外部Ｉ／Ｆ処理部４は、前記のように、画像メモリ部３を介して、リーダ部１の２値画像データを、外部Ｉ／Ｆ処理部４に取り込み、また、画像メモリ部３を介して、外部Ｉ／Ｆ処理部４からプリンタ部２へ、２値画像データを出力し、画像形成を行う。
【００５５】
外部Ｉ／Ｆ処理部４は、コア部４０６とファクシミリ部４０１、ファクシミリ部の通信画像データを保存するハードディスク４０２、外部コンピュータ１１と接続するコンピュータインタフェース部４０３と、フォーマッタ部４０４、イメージメモリ部４０５を有する。
【００５６】
ファクシミリ部４０１は、図示しないモデムを介して、公衆回線と接続され、この公衆回線からファクシミリ通信データを受信し、公衆回線へファクシミリ通信データを送信する。ファクシミリ部４０１では、ファクシミリ機能である指定された時間に送信したり、相手による指定パスワードを使用した問い合わせに応じて画像データを送信する等、ファクシミリ用の画像を、ハードディスク４０２に保存し、処理する。
【００５７】
これによって、リーダ部１から、画像メモリ部３を介して、ファクシミリ部４０１、ファクシミリ用のハードディスク４０２へ、一旦、画像を転送した後は、リーダ部１、画像メモリ部３を、ファクシミリ機能として使用せずに、ファクシミリ送信を行うことができる。
【００５８】
コンピュータインタフェース部４０３は、外部コンピュータ１１とのデータ通信を行うインタフェース部であり、ＬＡＮ（ローカルエリアネットワーク）、シリアルＩ／Ｆ、ＳＣＳＩ  Ｉ／Ｆ、プリンタのデータ入力用のセントロＩ／Ｆ等を有する。このＩ／Ｆを介して、プリンタ部２、リーダ部１の状態を外部コンピュータ１１に通知したり、コンピュータ１１の指示によって、リーダ部１で読み取った画像を外部コンピュータ１１へ転送したり、また、外部コンピュータ１１からプリント画像データを受け取ったりする。
【００５９】
コンピュータインタフェース部４０３を介して、外部コンピュータ１１から通知されるプリントデータは、専用のプリンタコードで記述されているので、フォーマッタ部４０４は、画像メモリ部３を介して、前記専用のプリンタコードを、プリンタ部２で画像形成を行うラスターイメージデータに変換する。
【００６０】
フォーマッタ部４０４は、ラスターイメージデータを、イメージメモリ部４０５に展開する。イメージメモリ部４０５は、前記のように、フォーマッタ部４０４がラスターイメージデータを展開するメモリとして使用したり、また、コンピュータインタフェース部４０３を介して、リーダ部１の画像を外部コンピュータ１１に送る（画像スキャナ機能）場合に、画像メモリ部３から送られる画像データをイメージメモリ部４０５に一度展開し、外部コンピュータ１１に送るデータの形式に変換し、コンピュータインタフェース部４０３からデータを送出するような場合においても、使用される。
【００６１】
コア部４０６は、ファクシミリ部４０１、コンピュータインタフェース部４０３、フォーマッタ部４０４、イメージメモリ部４０５、画像メモリ部３の間におけるそれぞれのデータ転送を制御管理する。これによって、外部Ｉ／Ｆ処理部４に、複数の画像出力部があっても、画像メモリ部３への画像転送路が１つであっても、コア部４０６の管理のもとで、排他制御、優先度制御され、画像が出力される。
【００６２】
次に、本実施例における自動原稿送り装置６の動作について説明する。
【００６３】
図７は、本実施例において、自動原稿送り装置６の構成を示す略断面図である。
【００６４】
まず、図７（ａ）を用いて、自動原稿送り装置６の各部について説明する。
給紙ローラ６０１は、少なくとも１枚のシート材で構成される原稿束６２１を載置する原稿トレイ６２０に載置された原稿束６２１の紙面に落下し、回転することによって、原稿束６２１の最上面の原稿を給紙する。
【００６５】
ストッパ６１１は、原稿の給送開始前に、図７（ａ）に示すように突出し、原稿束６２１は、ストッパ６１１によって規制され、下流に進出できない。給紙ローラ６０１によって給送された原稿は、分離ローラ６０２と分離ベルト６０３との作用によって、１枚に分離される。この分離は、周知のリタード分離技術によって実現されている。
【００６６】
搬送ローラ６０４は、分離ローラ６０２と分離ベルト６０３とによって分離された原稿を、レジストローラ６０５へ搬送する。レジストローラ６０５に原稿を突き当て、ループを形成することによって、原稿の搬送における斜行を解消している。
【００６７】
レジストローラ６０５を通過した原稿をプラテン２０１方向への搬送路である給紙パス６５２、または反転入り口パス６５３へ誘導するための反転給紙フラッパ６１３が、レジストローラ６０５の下方に配置されている。
【００６８】
第一反転ローラ６１４と、第二反転ローラ６１５とは、ともに原稿を反転させる場合に回転する。反転フラッパ６１２は、第二反転ローラ６１５の方向から到来する原稿を、反転パス６５０または再給紙パス６５１へ誘導する。
【００６９】
ベルト駆動ローラ６０６は、原稿をプラテン２０１上に配置するための給送ベルト６０７を駆動する。給送ベルト６０７は、プラテン２０１に当接している。給排紙ローラ６１７は、手差し給紙口６２２から給紙された原稿の給排紙と、給送ベルト６０７によって給送された原稿とを、原稿排紙口６２３へ排紙する。排紙フラッパ６１６は、手差し給排紙パス６５４または原稿排紙パス６５５へ原稿を誘導する。排紙フラッパ６１６は、原稿排紙時に、手差し排紙口６２２の方へ原稿が排紙されないように作用する。手差し給排紙ローラ６１９は、手差し原稿の給排紙を行う。排紙ローラ６１８は、原稿の排紙を行う。また、原稿トレイ６２０の下部には、３個のセンサ６０８、６０９、６１０が配置されている。
【００７０】
原稿セット検知センサ６１０は、原稿束６２１がセットされたことを検知し、透過型の光センサを形成する原稿セット検知センサである。原稿後端検知センサ６０８は、原稿がハーフサイズ原稿であるか否かを判定するための反射型の光センサを形成する原稿後端検知センサである。
【００７１】
最終原稿検知センサ６０９は、原稿セット検知センサ６１０と原稿後端検知センサ６０８との間に設けられ、搬送中の原稿が最終原稿であるか否かを判定する反射型の光センサを形成する最終原稿検知センサである。また、原稿サイズ検知センサ６２４、６２５、６２６は、搬送中の原稿のサイズを検知する原稿サイズ検知センサであり、原稿の幅方向に３個並んで配置され、３個のセンサ値によって原稿幅を３段階に検出し、Ａ系とＢ系との原稿幅、または、Ａ４とＡ５との原稿幅等を判別する。また、原稿の通過時間によって原稿長を検出する。これによって、サイズの異なる原稿が混在する原稿束であっても、個々の原稿サイズの検出を行うことができる。ただし、この際、原稿束は、原稿幅方向の奥側を揃えて載置するものとする。
【００７２】
次に、本実施例において、両面に印刷がなされた原稿（両面原稿）の両面を読み取る際における自動原稿送り装置６の動作について説明する。
【００７３】
自動原稿送り装置６に、両面原稿を給送する動作について開始が指示されると、図７（ｂ）に示すように、ストッパ６１１が下降し、さらに給紙ローラ６０１が、原稿上面に落下する。
【００７４】
給紙ローラ６０１、分離ローラ６０２、分離ベルト６０３、搬送ローラ６０４の作用によって、原稿は、原稿束６２１の最上面から１枚だけ分離され、図７（ｃ）に示すように、レジスト６０５まで給送される。このときに、反転給紙フラッパ６１３は、原稿を反転パスへ搬送する方向にセットされている。
【００７５】
図８は、本実施例において、両面に印刷がなされた原稿（両面原稿）の両面を読み取る際における自動原稿送り装置６の動作を説明する図である。
【００７６】
レジストローラ６０５が回転すると、原稿は、図７（ｄ）に示すパスを経由し、図８（ｅ）に示す位置まで搬送される。ここから、第一反転ローラ６１４と第二反転ローラ６１５との駆動方向が反転し、原稿は、プラテン２０１に給送され、図８（ｆ）に示す位置で停止する。
【００７７】
原稿の読み取りが終了すると、図８（ｇ）に示すように、再給紙パス６５１を経由し、原稿がひっくり返され、図８（ｈ）に示すように、プラテン２０１上に再び給送される。
【００７８】
原稿の読み取りが終了すると、原稿は、右方向へ給送され、原稿排紙口６２３から、自動原稿送り装置６の機外へ排出される。
【００７９】
以上の動作を繰り返すことによって、両面原稿を最上面から、１枚ずつ分離し、両面の読み取りを行い、上面を下向きにして（フェイスダウン）排紙することができる。
【００８０】
次に、スキャナ２０２を、所定の位置に固定し、原稿を移動し、画像を読み取る原稿読み取り方式（流し読み）の動作について、原稿が、スモールサイズのみである場合と、ラージサイズが含まれている場合とに分けて、説明する。
【００８１】
本実施例において、スモールサイズとは、原稿トレイ６２０に原稿束６２１を載置したときに、原稿後端検知センサ６０８が原稿を検知しない原稿のサイズである。
【００８２】
まず、スモールサイズのみの原稿を流し読みする場合について説明する。
【００８３】
図９は、スキャナ２０２を所定の位置に固定し、原稿を移動し、画像を読み取る原稿読み取り方式（流し読み）の動作を説明する図であり、原稿が、スモールサイズのみである場合について説明する図である。
【００８４】
原稿がレジストローラ６０５に到達するまでの動作は、図７（ａ）〜図７（ｃ）で説明した通りである。流し読みの場合は、さらに、図９（ｉ）に示すように、反転給紙フラッパ６１３が、原稿をプラテン２０１上へ導く。原稿は、図中のＡ点上を、所定の速度で搬送され、原稿の画像は、図９（ｊ）に示すように、Ａ点の下部に待機しているスキャナ２０２によって読み取られる。
【００８５】
Ａ点は、スモールサイズの原稿後端がレジストローラ６０５を通過した位置と規定されている。原稿は、そのまま、図９の右方向へ搬送され、図９（ｋ）に示すように、原稿排紙口６２３から、自動原稿送り装置６の機外へ排出される。
【００８６】
次に、ラージサイズの原稿が含まれる原稿の流し読みについて説明する。
【００８７】
図１０は、スキャナ２０２を所定の位置に固定し、原稿を移動し、画像を読み取る原稿読み取り方式（流し読み）の動作説明図であり、原稿として、スモールサイズとラージサイズとが含まれている場合について説明する図である。
【００８８】
ラージサイズは、原稿トレイ６２０に原稿束６２１を載置したときに、原稿後端検知センサ６０８が原稿を検知する原稿のサイズである。
【００８９】
原稿がレジストローラ６０５に到達するまでの動作は、図７（ａ）〜図７（ｃ）で説明した動作と同じ動作である。流し読みの場合は、さらに、図１０（ｌ）に示すように、反転給紙フラッパ６１３が、原稿をプラテン２０１上へ導く。原稿は、図１０中のＢ点上を所定の速度で搬送され、Ｂ点の下部に待機しているスキャナ２０２によって、原稿の画像が読み取られる。
【００９０】
Ｂ点は、ラージサイズの原稿後端がレジストローラ６０５を通過した位置であると規定されている。原稿は、そのまま、図１０の右方向へ搬送され、図１０（ｍ）に示すように、原稿排紙口６２３から、自動原稿送り装置６の機外へ排出される。
【００９１】
図１１は、自動原稿送り装置６の原稿トレイ６２０にセットされている原稿束６２１の向きと、搬送されて原稿排紙口６２２に排出された原稿束６２１の向きとの対応を示す図である。
【００９２】
図１１の左側に示した原稿が、原稿トレイ６２０にセットされた原稿束６２１である。この原稿の最上面にある番号１の原稿から順に搬送され、表裏が反転されて出力されるので、図１１の右側に示すように、最上面の原稿が表裏反転され、最下面になって排出される。
【００９３】
図１２に本実施例のデジタル複写機の操作部を示す。１１０１はタッチパネルディスプレイであり、通常はコピー枚数、選択用紙サイズ、倍率、コピー濃度が表示されている。１１０２はリセットキーでありコピーモードを標準モードに戻す。１１０３はスタートキーでありコピー動作を開始する。１１０４はストップキーでありコピー動作を中断する。１１０５はクリアキーでありコピーモードを標準モードに戻す。１１０６はテンキーでありコピー枚数を設定する。
【００９４】
次に、デジタル複写機の給紙パス中に配置されている光学センサの調整方法について、図面を参照して説明する。
【００９５】
図１５は本実施例で用いる光学センサの構成を示すブロック図であり、１５１は発光素子で、１５２は受光素子である。１５３は発光制御回路で、光学センサ制御回路１５６の命令で、発光素子１５１の発光量を制御する。反射光は、受光素子１５２の信号をアンプ１５４で増幅し光学センサ制御回路１５６に戻される。ここで、発光素子１５１、受光素子１５２、発光制御回路１５３、アンプ１５４の総合の構成を、光学式センサ１５５とする。
【００９６】
光学式センサ１５５の構造を、図１６の反射式の光学センサ構造図で説明すると、光学式センサ１５５の構造は、発光素子１５１と受光素子１６２が同一面上に配置され、発光素子１５１、受光素子１５２のコピー紙８の通紙位置の背面に反射部材１６６を設ける。図１６の構造図では、コピー紙８の光束遮蔽により反射光が受光素子２に入力されないので、反射光なしの、紙有りを検出している状態を表す。
【００９７】
図１７は光学式センサ１５５の入力電圧と反射輝度信号のグラフで、光学センサ制御回路１６６の出力電圧である発光制御回路１５３の入力電圧を増加させて、必要な反射輝度を得る。ここで、飽和点近傍の調整点で、調整は終了する。つまり、入力電圧を増加させても、反射輝度信号は増加しなくなる点である飽和点近傍で、調整終了地点とする。この、測定において、特性の未知の新規の光学センサについて確実に飽和点を発見する目的の調整がされる。
【００９８】
次に本発明の特徴部分であるデジタル複写機の動作について詳細に説明する。
一例として、光学センサの部品交換を行う場合の一連の制御方法について説明する。
【００９９】
図１８は、本実施例において、交換部品の選択を行い、デジタル複写機の電源をオフするまでの処理手順を表すフローチャートである。操作部１７２によって、部品交換を行うモードが設定されたときにスタートする。
【０１００】
ステップ１（図ではＳ１と表示する、以下同様）では、デジタル複写機における交換部品のリストを表示する。リストは例えば、図２１に示すようなものである。次にステップ２に進み、交換する部品が選択されたか否か判断する。選択された場合はステップ３に進み、電源ＯＦＦ情報に、選択された部品を交換する旨を登録する。この際、ホストコンピュータに部品交換を行うという通知を行っても良い。次にステップ４に進み、コピースタートキーのＬＥＤを赤にし、液晶パネルに交換作業の開始を促すメッセージを表示する。例えば、図１３に示したように表示する。次にステップ５に進み、デジタル複写機の電源がオフされて処理を終了する。電源のオフは、自動で行っても良いし、交換作業を行う作業者による手動であっても良い。以上が、交換部品の選択を行い、デジタル複写機の電源をオフするまでの処理手順である。
【０１０１】
次に、部品交換が終了した後の制御方法について説明する。
図１９は本実施例において、デジタル複写機の電源がオンされた場合の処理手順を表すフローチャートであり、通常の電源オン、部品交換を行った後の電源オン、のいずれかでスタートする。
【０１０２】
ステップ２１では、電源ＯＦＦ情報に情報が登録されているか否か判断する。部品交換を行うための電源オフで、情報が登録されていた場合は、ステップ２２に進み、電源ＯＦＦ情報を消去する。この際、ホストコンピュータに部品交換に伴う電源オフから復帰したという通知を行っても良い。続いてステップ２３に進み、実際に部品の交換作業が行われたか否かの確認をするためのメッセージを表示する。例えば、図１４に示したように表示する。
【０１０３】
次にステップ２４に進み、部品の交換作業が実施されたか否か判断する。実施されていた場合は、交換された部品の部品交換の際に必要とされる調整項目を決定する。調整項目は、図２２に示されるように、それぞれの部品に関連付けられている。続いてステップ２６に進み、交換作業を行った後の立ち上げ処理を実施するとともに、ステップ２５で決定された調整項目を実施する。例えば、本実施例においては、前述した光学センサの光量調整が実施される。
【０１０４】
一方、ステップ２４において、交換作業が実施されていなかった場合はステップ２７に進み、通常の立ち上げ処理を実施する。また、ステップ２１において、電源ＯＦＦ情報に情報が登録されていなかった場合も、部品交換を行うための電源オフでなかったため、ステップ２７に進み、通常の立ち上げ処理を実施する。以上が、デジタル複写機の電源がオンされた場合の処理手順である。
【０１０５】
以上のように制御することで、部品の交換に伴う調整が自動で実施されるので、部品交換に伴う調整を漏れなく行うことが可能となる。
【０１０６】
次に、デジタル複写機がホストコンピュータと接続されている場合の、ホストコンピュータ側の制御方法について説明する。
【０１０７】
図２０は本実施例において、デジタル複写機の電源がオフされたときのホストコンピュータ側の処理手順を表すフローチャートであり、ホストコンピュータが立ち上がっている間、継続して実行されている。
【０１０８】
ステップ３１では、デジタル複写機の電源がオフされたか否かを常時監視している。電源がオフされた場合はステップ３２に進み、電源ＯＦＦ情報をデジタル複写機から受信しているか否か確認する。受信済みであった場合は、交換作業を実施するための電源オフであるためステップ３３に進み、交換作業中である旨のメッセージを表示する。ステップ３２において、電源ＯＦＦ情報を受信していなかった場合は、通常の電源オフであるため、ステップ３４に進み、デジタル複写機の電源がオフされている旨のメッセージを表示する。続いて、ステップ３５に進み、デジタル複写機の電源がオンされたか否かを監視する。電源がオンされた場合は、ステップ３３またはステップ３４で表示されたメッセージを解除し、その後ステップ３１に戻り、以降、ステップ３１からステップ３６の処理を繰り返す。
【０１０９】
以上が、デジタル複写機がホストコンピュータと接続されている場合の、ホストコンピュータ側の制御方法である。
【０１１０】
このように制御することで、デジタル複写機が部品交換作業を実施するための電源オフであっても、その情報をホストコンピュータから確認することが可能となる。
【０１１１】
以上説明したように、本実施例によれば、画像形成装置の部品交換をするにあたり、交換する部品を指定するだけで、交換作業終了時に必要な調整項目を全て自動で実施することで、容易に、かつ、調整項目の漏れが無く、部品の交換による一連の作業を行うことができる。また、デジタル複写機が部品交換作業を実施するための電源オフであっても、その情報をホストコンピュータから確認することが可能となる。
【図面の簡単な説明】
【０１１２】
【図１】実施例１であるデジタル複写機の構成を示すブロック図
【図２】デジタル複写機の構成を示す縦断側面図
【図３】デジタル複写機の制御系を示すブロック図
【図４】画像処理部の構成を示すブロック図
【図５】画像メモリ部の詳細構成を示すブロック図
【図６】外部Ｉ／Ｆ処理部の構成を示すブロック図
【図７】自動原稿送り装置の構成を示す略断面図
【図８】両面に印刷がなされた原稿（両面原稿）の両面を読み取る際における自動原稿送り装置の動作を説明する図
【図９】流し読みの動作を説明する図であり、原稿が、スモールサイズのみである場合について説明する図
【図１０】流し読みの動作を説明する図であり、原稿として、スモールサイズとラージサイズとが含まれている場合について説明する図
【図１１】自動原稿送り装置の原稿トレイにセットされている原稿束の向きと、搬送されて原稿排紙口に排出された原稿束の向きとの対応を示す図
【図１２】デジタル複写機の操作部を示す図
【図１３】液晶パネルにおける、交換作業の開始を促すメッセージを示す図
【図１４】実際に部品の交換作業が行われたか否かの確認をするためのメッセージを示す図
【図１５】光学センサの構成を示すブロック図
【図１６】反射式光学センサの構造を示す図
【図１７】反射式光学式センサの入力電圧と反射輝度信号の関係を示す図。
【図１８】交換部品の選択から電源オフまでの処理手順を示すフローチャート
【図１９】電源オン時の処理手順を示すフローチャート
【図２０】電源オフ時のホストコンピュータ側の処理手順を示すフローチャート
【図２１】交換部品のリストを示す図
【図２２】交換部品―調整項目対応表
【符号の説明】
【０１１３】
ＤＣ１    デジタル複写機
１        リーダ部
２        プリンタ部
３        画像メモリ部
１７１    ＣＰＵ
【図１】
2005335164.tif 000003
【図２】
2005335164.tif 000004
【図３】
2005335164.tif 000005
【図４】
2005335164.tif 000006
【図５】
2005335164.tif 000007
【図６】
2005335164.tif 000008
【図７】
2005335164.tif 000009
【図８】
2005335164.tif 000010
【図９】
2005335164.tif 000011
【図１０】
2005335164.tif 000012
【図１１】
2005335164.tif 000013
【図１２】
2005335164.tif 000014
【図１３】
2005335164.tif 000015
【図１４】
2005335164.tif 000016
【図１５】
2005335164.tif 000017
【図１６】
2005335164.tif 000018
【図１７】
2005335164.tif 000019
【図１８】
2005335164.tif 000020
【図１９】
2005335164.tif 000021
【図２０】
2005335164.tif 000022
【図２１】
2005335164.tif 000023
【図２２】
2005335164.tif 000024